(57)【要約】【課題】建物の温水式床暖房を設置した部屋の床板を将来、新しくリフォ−ムする際、古い床板を無理して剥がさないで、その上から新しい床板を貼着する場合、古い床板の下に隠れた温水パイプの位置が見えない。従って、新しい床板を釘やステ−プル等で貼着する際に、誤って温水パイプを破損させる恐れがあったが、古い床板を剥がさなくても、その下に隠れた温水パイプの位置を特定することが可能で、従って、施工時の床板の釘打ち作業によって温水パイプを傷つけたり、破損させたりすることのない床暖房用温水パイプを提供する。【解決手段】建物の床に設置される床暖房用温水パイプにおいて、該温水パイプに磁石を装着するようにした。【選択図】        図１
2004271152.tif 000002
【特許請求の範囲】
【請求項１】
建物の床に設置される床暖房用温水パイプにおいて、該温水パイプが温水パイプに磁石を装着したものであることを特徴とする床暖房用温水パイプ。
【請求項２】
前記温水パイプが軟質樹脂製温水パイプであり、前記磁石が、軟質樹脂製温水パイプ表面に設けられたシ−ト状磁石であることを特徴とする請求項１に記載の床暖房用温水パイプ。
【発明の詳細な説明】
【０００１】
【発明の属する技術分野】
本発明は、建物の床に用いられる温水式床暖房用の温水パイプに関する。
【０００２】
【従来の技術】
住宅等、建物の床に用いられる温水式の床暖房構造は、床下地材の上に温水パイプを所定の配列で配設し、その上に金属製の均熱板を載置し、最後に最上層に床仕上げ板を順番に敷設して完成させた多重積層構造であるか、又は、床下地材、温水パイプ、均熱板、床仕上げ板を、あらかじめ一体的に積層してなる床暖房用温水パネルの２種類がある。また、近年住む人のライフスタイルの多様化と変化につれて住宅のリフォ−ム需要が活発化する傾向にある。
【０００３】
温水式床暖房を設置した部屋の床仕上げ板を新しいものにをリフォ−ムする場合、床仕上げ板は均熱板や温水パイプに接着剤で固着されており、無理に剥がそうとすると、温水パイプを痛めてしまう危険性があるので、通常は古い床仕上げ板を剥がさないで、古い床仕上げ板の上に新しい床仕上げ板を貼着することが一般的である。しかしながら、古い床仕上げ板の上から、その下にある温水式床暖房の温水パイプの配列位置が識別できなかった。そのために、古い床板を剥がさないでそのままにして、新しい床仕上げ板へリフォ−ムする場合、施工時の釘打ちで温水パイプに傷を付けたりして温水パイプを破損させる危険性があった。
【０００４】
そこで、温水式床暖房用の配管を内部に有する床暖房パネル本体上面において、配管が設けられた位置を示す識別マ−クや配管が設けられていない位置を示す識別マ−クを床暖房パネル本体上面に設けることによって、配管の上に誤って釘やスクリュ−釘等が打ち込まれ配管が傷ついたり破損したりすることを防止するものがある。（例えば、特許文献１参照）
【特許文献１】
特開平７−２４３６５５号公報（第２頁、第２図−第４図）
【０００５】
【発明が解決しようとする課題】
しかしながら、特開平７−２４３６５５号公報に記載の方法では、床暖房パネル本体上面に設けられた識別マ−クを手掛かりにして、新築時、床暖房パネル本体の上に床仕上げ板を貼着する時は、この識別マ−クが威力を発揮するが、将来、床仕上げ板が古くなってリフォ−ムする際は役に立たない。その理由は、古い床仕上げ板を剥がさないと、この識別マ−クを認識することは不可能であるが、古い床板は接着剤とスクリュ−釘等で完全に固着されており、これを剥がすのは大変困難であり、ましてや識別マ−クをほぼ完全に読みとり可能なように剥がすのは至難の業であった。多大な手間と費用をかけて剥がしても識別マ−クを正確に判読するのが困難であった。
【０００６】
古い床板をリフォ−ムする時は、剥がす手間を節約して古い床板をそのままにして、その上に新しい床板を貼着するのが一般的である。それで、古い床板をそのままにして、その上から新しい床板を貼着せざるを得ず、その場合、前記識別マ−クは読みとり不可能で、温水式床暖房の温水パイプの位置が特定できず、前記したように、施工時の釘打ち作業によって温水パイプを傷つけたり破損させたりする危険があった。
【０００７】
本発明の目的は、将来、床板をリフォ−ムする際、古い床板を剥がさないでも温水パイプの位置を特定することが可能で、従って、施工時の床仕上げ板の釘打ち作業によって温水パイプを傷つけたり破損させたりすることのない床暖房用温水パイプを提供することにある。
【０００８】
【課題を解決するための手段】
上記目的を達成するために本発明にかかる請求項１に記載の床暖房用温水パイプは、建物の床に設置される床暖房用温水パイプにおいて、該温水パイプが温水パイプに磁石を装着したものであることを特徴とする。
【０００９】
係る構成から、将来床仕上げ板が古くなってリフォ−ムする際、古い床仕上げ板を剥がさなくても、磁石に反応する強磁性体を用いて、温水パイプの位置が特定できるので、新しい床仕上げ板に張り替える際の釘打ちなどによって、温水パイプを傷つけたり破損させたりする恐れがなく安心して施工できる。
【００１０】
また、本発明にかかる請求項２に記載の床暖房用温水パイプは、請求項１に記載の床暖房用温水パイプにおいて、前記温水パイプが軟質樹脂製温水パイプであり、前記磁石が、軟質樹脂製温水パイプ表面に設けられたシ−ト状磁石であることを特徴とする。
【００１１】
係る構成から、温水パイプを傷つけたり破損させたりする恐れがなく安心して施工できるのみならず、温水パイプを床下地材上に配設する際、温水パイプが、軟質樹脂製温水パイプであり、温水パイプに装着された磁石が、軟質樹脂製温水パイプ表面に設けられたシ−ト状磁石であるので、温水パイプがフレキシブルに曲がり易く、従って配設し易い。しかも、必要に応じて切断も容易にできるので、極めて施工性に優れたものとなる。
【００１２】
【発明の実施の形態】
以下、図面を参考にして本発明の実施の形態の一例を説明する。図１は本発明の床暖房用温水パイプの実施形態の一例を示す平面図である。図２は図１のＡ−Ａ線拡大断面図である。図３の（イ）、（ロ）、（ハ）は本発明の床暖房用温水パイプ１の実施の形態のバリエ−ションの一例を示す。勿論これらの形態に限定されるものではない。
【００１３】
図１、２において、引用符号１は本発明の温水パイプを示し、引用符号２は該温水パイプ１の表面に貼着された磁石を示す。本発明の床暖房用温水パイプ１は、一例として図１、２に示すように、床下地材４の上に適宜位置に小根太３を配置し、該小根太間のスペ−スに本発明の温水パイプ１を適当な配列形状で配列する。該温水パイプ１表面には磁石２が貼着されており、さらに必要に応じて温水パイプ１を配列した空きスペ−スに適宜断熱材（図示せず）を配置しても良い。図１、２に示す小根太方式の他に、例えば床下地材として温水パイプ１の直径よりも十分厚めの合板、パ−ティクルボ−ド、ＯＳＢ等の木質板を用意し、その表面に温水パイプ１の配列に沿った形状の温水パイプ用の埋め込み溝を掘って、そこに温水パイプ１を埋め込む方式もある。施工場所、施工条件等を考慮して適宜決定すればよい。
【００１４】
前記床下地材４はコンクリ−トスラブなどの他、合板、パ−ティクルボ−ド、ＯＳＢ等の木質材が利用できるが、これらに限定されるものではない。前記小根太３は合板、木材ムク、パ−ティクルボ−ド、ＯＳＢ等の木質材が利用でき、その寸法は厚さが温水パイプ１の直径とほぼ等しいものが望ましい。前記温水パイプ１の配列形状は図１にその一例を示したが、勿論これに限定されるものではない。前記温水パイプ１を配列した上に図１に示すように、均熱板５を張り付けてさらにその上に床仕上げ板６を張り付ける。均熱板５は例えば、厚み０．１〜３．０ｍｍ程度のアルミニウムなどの薄板又は箔が使用される。また、この時、均熱板５と床仕上げ板６との間に必要に応じて下地材（図示せず）を張り付けてもよい。特に床仕上げ板６の厚みが薄い場合や床仕上げ板６のサイズが細かすぎる場合などは、前記下地材があったほうが施工後の床強度を保持する上でも望ましい。
【００１５】
前記温水パイプはその一端が給湯器等の温水機器（図示せず）に連結されており、一例として図２に示すように、床下地材と床仕上げ板の間に設けられ、図１に示すような経路を経て床を暖め、最終経路で、もう一端から排水され再び給湯器等の温水機器（図示せず）に戻る。
【００１６】
また、前記温水パイプ１の表面に貼着した磁石２は図１に示すように温水パイプ１の長手方向に沿って貼着されていることが望ましく、一例として図１のように連続した直線状のものがある。勿論これに限定されるものではない。
【００１７】
図３に本発明の床暖房用温水パイプ１の表面に磁石２を装着した場合の例を（イ）、（ロ）、（ハ）３例示した。（イ）は温水パイプ１の外表面の上部に磁石２を装着した例であり、（ロ）は温水パイプの外表面全面に磁石を装着した例である。また、（ハ）は温水パイプ１の外表面の上部で温水パイプの長手方向に沿って、不連続に貼着した例である。
【００１８】
また、前記磁石２は図２に示すように温水パイプ１の上部に沿って装着してもよいが、必ずしも上部でなく温水パイプ１の側面でも、また底部でもよい。さらに温水パイプ断面で見て、温水パイプの外表面でもよいし、また、内表面でもよい。また、温水パイプ１の表面の一部分でもよいし、前記図３の（ロ）に示したように全面であってもよい。
【００１９】
前記本発明の温水パイプ１はアルミニウム、銅などの金属製パイプ又は硬質樹脂製パイプでもよいが、軟質樹脂製パイプであれば、配管時にフレキシブルに曲がり、且つ切断作業も容易に行え、温水機器との現場接続加工も楽に行える。しかも、樹脂製パイプは金属製パイプよりも重量が軽いので、施工に際してパイプを運んだり、取り扱ったりするのが容易であり、施工性が格段に向上する。従って施工費が大幅に軽減されるという利点があり、軟質樹脂製パイプがより好ましい態様である。また、温水パイプ１の表面に装着される磁石２がシ−ト状磁石であると、温水パイプ１が切断し易く、しかもフレキシブルに曲がりやすいので上記と同様の理由で施工性が格段に向上する。
【００２０】
軟質樹脂製パイプとして一例を挙げれば、例えば、軟質のポリエチレン、軟質塩化ビニル、軟質のポリエステル、軟質のナイロン、軟質のビニロン等が挙げられる。勿論これらに限定されるものではない。また、パイプの直径は３〜１０ｍｍ程度のものが適当である。
【００２１】
また、温水パイプ１に装着されるシ−ト状磁石としては、例えば鉄、ニッケル等の強磁性体を粉末状にし、ウレタン樹脂、エポキシ樹脂等の塗料中に分散させ、その塗料を温水パイプ表面の長手方向に沿って、スプレ−塗装、刷毛塗装等で塗装する方法がある。また、前記磁石の粉末を含有した塗料中に温水パイプを浸漬する方法もある。また、ウレタン樹脂フィルム、ポリエチレン樹脂フィルムの表面に前記磁石の粉末を含有した塗料を全面又は点々状に塗布したものを細幅に裁断したものを温水パイプの表面に接着剤を用いて貼着する方法などがある。
【００２２】
このようにして、本発明の温水パイプ１を配設した上に均熱板５を張り付けて、さらにその上に床仕上げ板６を張り付けて床暖房が完成する。施工後、長期間が経って、床が古くなり、新しい床板にリフォ−ムしようとした時、古い床板を剥がすのは大変難しく手間がかかり、従って施工費が大きくかかるのみならず、へたに剥がすと下にある温水パイプまで破損させてしまう危険があり、古い床材を剥がさないで、その上に新しい床材を張り付けることが良く行われるが、この時、下にある温水パイプの位置が上から見えないので、施工時の釘打ちで下にある温水パイプを傷付けたり破損させたりする危険があった。
【００２３】
しかし、本発明の磁石２を装着した温水パイプ１の場合は、以下のようにして簡単に古い床板の下にある温水パイプ１の位置を床板の上から特定することができる。すなわち、鉄、ニッケル等の強磁性体からなる小片を糸の先にフリ−に吊したものを探知センサ−として用意する。古い床板の上に前記探知センサ−を近づけると、温水パイプ１の表面に装着された磁石２に糸の先端に吊した前記小片が引っ張られて反応する。古い床板の上を前記探知センサ−で一巡するようにして探知すると床板の下に隠れた温水パイプ１の位置がほぼ特定できる。従って、温水パイプ１の位置が見えなくてもわかり、釘打ちで温水パイプ１を破損させる失敗を防ぐことが可能となる。探知センサ−として、前記したように大変簡単な構造なので、どのような施工現場においても簡単に探知センサ−を手に入れることができる。また、。探知センサ−は、施工時に使用される鉄製の釘やステ−プル等には反応しないので探知精度に優れたものとなる。
【００２４】
【発明の効果】
以上のように、本発明に係る床暖房用温水パイプによれば、温水パイプに磁石を装着しているので、将来床仕上げ板が古くなってリフォ−ムする際、古い床仕上げ板を剥がさなくても、鉄、ニッケル等の強磁性体からなる小片を糸の先にフリ−に吊した簡単な構造の探知センサ−を用いて、温水パイプの位置が特定できるので、新しい床仕上げ板に張り替える際の釘打ちなどによって、温水パイプを傷つけたり破損させたりする恐れがなく安心して施工できる。
【００２５】
また、前記温水パイプが軟質樹脂製温水パイプであり、前記磁石が軟質樹脂製温水パイプ表面に設けられたシ−ト状磁石であると、リフォ−ムに際して、温水パイプを傷つけたり破損させたりする恐れがなく安心して施工できるのみならず、温水パイプがフレキシブルに曲がり易く、従って施工時に配設し易い。しかも、必要に応じて切断も容易にでき、温水機器との接続も容易で、重量が軽く温水パイプの運搬、取り扱いも容易で、施工性に優れたものとなる。従って施工費も安価に済む。
【図面の簡単な説明】
【図１】本発明の床暖房用温水パイプの実施形態の一例を示す平面図。
【図２】図１のＡ−Ａ線拡大断面図。
【図３】本発明の床暖房用温水パイプの実施形態のバリエ−ションの一例を示す斜視図。
【符号の説明】
１    温水パイプ
２    磁石
３    小根太
４    床下地材
５    均熱板
６    床仕上げ板
【図１】
2004271152.tif 000003
【図２】
2004271152.tif 000004
【図３】
2004271152.tif 000005